(57)【要約】【課題】  アイデッキルーフ使用のものは、屋根板を躯体に取り付ける作業を、作業員が下向きの状態で屋根板の裏側にまで手を延ばして行うため、作業性が悪く、誤って地上に落下する等、甚だ危険性が多い。また、タイトフレーム使用のものは、屋根板とタイトフレームを単に嵌合取り付けしただけであるため、強度的に弱い、これらを解消することが課題である。【解決手段】  平坦な屋根の躯体７上において、一端部に屋根板下面支持縁を有する脚状リブ部１を形成するとともに他端部に脚状リブ部嵌合用折曲縁４または屋根板下面支持縁重合縁４´を形成し、脚状リブ部１に折曲縁を嵌合し、または屋根板下面支持縁に屋根板下面支持縁重合縁４´を重合して屋根板Ａを連結するようにした連結屋根を躯体に固設する際、連結屋根の上から長手方向に長孔を形成した押え平板８で押えるように、長孔を介して長いドリリングネジ９で躯体に固定することで解決する。【選択図】図１
2005146801.tif 000002
【特許請求の範囲】
【請求項１】
平坦な屋根の躯体上において、一端部に屋根板下面支持縁を有する脚状リブ部を形成するとともに他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を連結するようにした連結屋根を躯体に固設する際、連結屋根の上から長手方向に長孔を形成した押え平板で押えるように、前記長孔を介して長いドリリングネジで躯体に固定したことを特徴とするフラット連結屋根。
【請求項２】
請求項１に記載のフラット連結屋根において、前記連結屋根上に、セラミック系不燃板、耐熱・断熱性板、防水材を順次積層状に敷設し、耐熱・断熱・防水構造としたことを特徴とするフラット連結屋根。
【請求項３】
請求項１または請求項２に記載のフラット連結屋根において、前記セラミック系不燃板、耐熱・断熱性板、防水材を所要の止着手段により一体に止着したことを特徴とするフラット連結屋根。
【請求項４】
平坦な屋根の躯体上において、一端部に屋根板下面支持縁を有する脚状リブ部を形成するとともに他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を順次連結し、この連結した屋根板の上から長手方向に複数の長孔を形成した押え平板を載せて押えるように、前記長孔を介して長いドリリングネジで前記躯体にねじつけ固定することを特徴とするフラット連結屋根の施工方法。
【発明の詳細な説明】
【技術分野】
【０００１】
本発明は、通常アイデッキを使用して、例えば鉄骨構造物等において、フラット面を生かした屋根として用いられるフラット連結屋根及びその施工方法に関するものである。
【背景技術】
【０００２】
従来の鉄骨構造物等におけるアイデッキルーフを用いたフラット屋根は、脚状リブの下端を躯体（梁・または母屋等）に直接取り付けて屋根を構成していたもの（例えば、特許文献１参照）が存在している。
また、波形に成形した金属屋根板を同じく波形に成形したタイトフレームにより躯体に取り付けるようにした折板屋根の施工法（例えば、特許文献２参照）が存在している。
【特許文献１】実公平５−２４７４０号公報（実用新案登録請求の範囲、考案の詳細な説明の欄の｛作用｝、｛実施例｝、図１、図４、図５）
【特許文献２】特開２００１−１２０１９（特許請求の範囲、発明の詳細な説明の欄｛０００５｝、｛０００６｝、｛０００７｝、図１０、図１２）
【発明の開示】
【発明が解決しようとする課題】
【０００３】
しかしながら、上記従来技術において、前者（アイデッキルーフ使用のもの）の場合は、屋根板の脚状リブ部の下端を直接躯体に溶接またはビス止め等の手段により取り付ける作業を、通常、作業員が屋根板上から下向きの状態で屋根板の裏側にまで手を延ばして行うため、作業性が悪く、また誤って地上に落下する等、甚だ危険性の多いものであった。
また、後者（タイトフレーム使用のもの）の場合は、屋根板とタイトフレームが単に同型の波形に成形されたものを相互に嵌合取り付けしただけのものであるため、強度的に弱く、しかも屋根板上面に防水構造を設ける場合に、屋根板が波形であるため、施工上危険であり、面倒である等の問題があった。
【課題を解決するための手段】
【０００４】
上記課題を解決するための本発明の第１発明は、請求項１に記載された通りのフラット連結屋根であり、次のようなものである。
平坦な屋根の躯体上において、一端部に屋根板下面支持縁を有する脚状リブ部を形成するとともに他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を連結するようにした連結屋根を躯体に固設する際、連結屋根の上から長手方向に長孔を形成した押え平板で押えるように、前記長孔を介して長いドリリングネジで躯体に固定する構成である。
【０００５】
上記課題を解決するための本発明の第２発明は、請求項２に記載された通りのフラット連結屋根であり、次のようなものである。
請求項１に記載のフラット連結屋根において、前記連結屋根上に、セラミック系不燃板、耐熱・断熱性板、防水材を順次積層状に敷設し、耐熱・断熱・防水構造としたものである。
【０００６】
上記課題を解決するための本発明の第３発明は、請求項３に記載された通りのフラット連結屋根であり、次のようなものである。
請求項１または請求項２に記載のフラット連結屋根において、前記セラミック系不燃板、耐熱・断熱性板、防水材を所要の止着手段により一体に止着する構成である。
【０００７】
上記課題を解決するための本発明の第４発明は、請求項４に記載された通りのフラット連結屋根施工方法であり、次のようなものである。
平坦な屋根の躯体上において、一端部に屋根板下面支持縁を有する脚状リブ部を形成するとともに他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を順次連結し、この連結した屋根板の上から長手方向に複数の長孔を形成した屋根板の押え平板を載せて押えるように、前記長孔を介して長いドリリングネジで前記躯体にねじつけ固定する構成である。
【発明の効果】
【０００８】
本発明に係るフラット連結屋根及びその施工方法は、上記説明のような構成であるので、以下に記載する効果を奏する。
（１）平坦な屋根の躯体上において、一端部に屋根板下面支持縁を有する脚状リブ部を形成するとともに他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を連結するようにした連結屋根を躯体に固設する際、連結屋根の上から長手方向に長孔を形成した押え平板で押えるように、前記長孔を介して長いドリリングネジで躯体に固定することを特徴としたものであるから、従来のアイデッキルーフ使用によるフラット連結屋根の施工のように、作業員が屋根板の上から下向きの状態で屋根板の裏側にまで手を延ばして躯体に対する屋根板の取り付けを行うことなく、屋根板の上で取付作業ができ、単に押え平板を介して長いドリリングネジを躯体に固定するのみで、押え平板、屋根板の脚状リブ部、長いドリリングネジ、躯体で形成される。平行四辺形のボックス形状になり強度がでる。その上、作業性が非常によく、かつまた作業中に誤って落下する等の危険もなく極めて安全性が高いものである。
（２）前記屋根板上に必要に応じ、適宜選択的に防水構造またはセラミック系不燃板、耐熱・断熱性板、防水材を順次積層状に敷設し、耐熱・断熱・防水構造を形成したので、耐火、耐熱、断熱性および防水性に優れたフラット連結屋根を得ることができる。
【発明を実施するための最良の形態】
【０００９】
平坦な屋根の躯体上において、一端部に屋根板下面支持縁を有する脚状リブ部を形成するとともに他端部に脚状リブ部嵌合用折曲縁または屋根板下面支持縁重合縁を形成し、前記脚状リブ部に前記折曲縁を嵌合し、または前記屋根板下面支持縁に前記屋根板下面支持縁重合縁を重合して屋根板を連結するようにした連結屋根を躯体に固設する際、連結屋根の上から長手方向に長孔を形成した押え平板で押えるように、前記長孔を介して長いドリリングネジで屋根板の押拡底部を欠損しないように、できるだけ押拡底部に近づけた位置を見つけて躯体に固定したフラット連結屋根上に、セラミック系不燃板、耐熱・断熱性板、防水材を順次積層状に敷設し、耐熱・断熱・防水構造としたフラット連結屋根である。
【実施例１】
【００１０】
図１（ａ）（ｂ）は、フラット連結屋根の組立状態の一例を示す正断面図と側断面図、図２は、ドリリングネジの正面図、図３（ａ）（ｂ）は、フラット連結屋根を躯体に固設するための押え平板を示す図であって、（ａ）は平面図、（ｂ）は正面図、図４（ａ）（ｂ）は、フラット連結屋根の屋根板の各例を示す正面図であって、（ａ）は屋根板の他端側フラット面に脚状リブ部嵌合用折曲縁を形成したものを示し、（ｂ）は同脚状リブ部嵌合用折曲縁を屋根板下面支持縁重合縁（フラット延長部）に形成したものを示す正面図、図５は、フラット連結屋根の屋根板の一部拡大正断面図、図６は、断熱・防水構造としたフラット連結屋根の組立状態を示す正断面図、図７（ａ）（ｂ）は脚状リブ部の他例を示す一部拡大正面図である。
【００１１】
図１〜図５において、１は屋根板Ａの下面に折曲形成された垂直壁部１ａ、１ａを有する脚状リブ部であって、一般的には屋根板Ａの１枚に対して３本形成されている。この脚状リブ部１の下端に押拡底部２を有するとともに前記垂直壁部１ａ、１ａの上端は略水平状に折曲され、フラット面３に形成されている。なお、前記屋根板Ａの一端部側脚状リブ部１の垂直壁部１ａ上端のフラット面３は屋根板連結時において屋根板下面支持縁となる。４は前記屋根板Ａの他端側フラット面３に形成した脚状リブ部嵌合用折曲縁、４´は前記他端側フラット面３に載架重合される屋根板下面支持縁重合縁（フラット延長部）である。５は前記屋根板Ａの各脚状リブ部１間に形成した小さな補強用凹・凸部であって、前記脚状リブ部１に平行に屋根板Ａの長さ方向に形成されている。なお、前記補強用凹・凸部５の断面形状は図４、図５に示す如く正・逆に連続する台形状に形成してあるが、これに限定されるものではない。例えば、小さな補強用凹・凸部５は形成しない平坦なものでも良いことはいうまでもない。
この連結したフラット屋根板を細長い押え平板８を介して躯体（梁等）に直接長いドリリングネジ９でねじ込み、このフラット屋根板を図１に示すように、押え平板８と長いドリリングネジ９と、フラット屋根板の脚状リブ部１と躯体（梁）とで平行四辺形のボックス形状で保持できるので、強度的に優れたものになる。
なお、押え平板８は、一枚一枚のフラット屋根板Ａ毎に、その幅寸法と略同一の長さのものを採用することが、フラット屋根板の寸法誤差、及びフラット屋根板の連結による誤差があっても簡単に対応できる。それは、押え平板８の長さがそれほど長くないため、波を打つことが少ないので、押え平板８に形成した長孔８´で充分に対応でき、長いドリリングネジ９をねじ込む際、フラット屋根板Ａの押拡底部２に噛み込み欠損して強度を弱めることがなくなるので、精確なねじ込みが可能になる。すなわち、押え平板８を長尺なものにすると波うったり、フラット屋根板を連結しているので寸法誤差が生じていて、押拡底部２に噛み込む恐れがある。
なお、長いドリリングネジ９をねじ込む位置は、押え平板８の長孔８´を介して、屋根板Ａの押拡底部２を欠損しないように、押拡底部２に掛からない位置でしかもできるだけ近づけた位置にねじ込むことで、結果として屋根板Ａに凹凸を生じさせず、平坦な仕上げが可能になり、防水等の後処理に対しても極めて平坦に形成できるので、フラット屋根でも水が溜ることが少ないという効果もある。
屋根板Ａの上面に形成される防水構造は、詳細に図示しないが、アスファルト層からなるもの、合成ゴム、プラスチック等の防水シートからなるもの、または両者を併用したもの、さらに前記防水構造の下にウレタン、ポリエチレン、ロックウール材等の断熱材を設けたもの、あるいは設けないもの等、連結屋根の施工条件によって適宜選択されるものである。
図６は屋根板Ａの上面に形成される耐熱・断熱・防水構造であって、例えばセラミック系不燃板（図示せず）、耐熱・断熱性板６ａを固定ネジ１０でフラット連結屋根上に固定し、この上部に防水材６ｂを順次積層状に施設してなるものである。
【００１２】
なお、上記セラミック系不燃板としては、例えばケイ酸カルシウム板、石膏ボード、木毛セメント板、グラスウール板、ロックウール板およびこれらの合成板等が使用可能であり、また耐熱・断熱性板６ａとしては、例えばポリイソシアヌレート、フェノール等の合成樹脂系板および上記セラミック系不燃板と同質のものを含むものが使用可能であり、また防水材６ｂとしては、例えば塩化ビニール樹脂、その他の合成樹脂系防水シート、アスファルト防水シート、アルミ箔、その他の金属系防水シート、ゴム、合成ゴム系防水シートの他、ステンレス防水板、鉛防水板、着色溶融亜鉛メッキ銅板等の金属系防水板等が使用可能であるが、これらは連結屋根の施工条件によって適宜選択使用されるものである。また、７は躯体｛梁、母屋、コンクリート（ＡＬＣ）｝を示すものである。
【００１３】
また、上記セラミック系不燃板、耐熱・断熱性６ａ、防水材６ｂは屋根の大きさにより１枚敷き、あるいは複数枚敷きに構成することは任意であり、またその止着手段は、例えばビス、針等の止着材あるいは接着剤（図示せず）等による止着手段により一体に取り付けられているものである。
【００１４】
なお、施工に際し、上記各セラミック系不燃板、耐熱・断熱性板６ａを止着材により止着した後、加熱により塩ビコートを溶融し、その上に塩化ビニール樹脂系防水シート６ｂを敷設して一体に取り付けるようにしたものでも良い。その他については、前記図１〜図５に基づいて説明したものと同一なので、詳細な説明は省略する。
【００１５】
なお、前記屋根板Ａの脚状リブ部１の押拡底部２の断面形状は図７（ａ）（ｂ）に示すように三角形、四角形、その他種々の形態のものでも用いることができる。
【００１６】
次に、作用について説明する。
施工に際しては、図１、図６に示すように、平坦な屋根の躯体７上に敷設するもので、屋根板Ａの一端部に屋根板下面支持縁３を有する脚状リブ部１を形成するとともに他端部に脚状リブ部嵌合用折曲縁４または屋根板下面支持縁重合縁４´を形成し、前記脚状リブ部１に前記折曲縁を嵌合し、または前記屋根板下面支持縁３に前記屋根板下面支持縁重合縁４´を重合して屋根板Ａを連結するようにした連結屋根の上から長手方向に長孔８´を形成した押え平板８で押えるように、前記長孔８´を介して長いドリリングネジ９で躯体に固定し、さらに防水シートを積層状に敷設したフラット連結屋根であり、従来例のようなタイトフレームの脚状リブ部嵌合用凹部の下面部を直接梁等に溶接、ビス、その他適宜の取付手段により取り付けるとともに、前記タイトフレームの脚状リブ部嵌合用凹部内に、前記屋根板の各脚状リブ部を嵌合し、前記脚状リブ部の押拡底部を前記タイトフレームに、また、前記屋根板のタイトフレーム嵌合用凹・凸部を前記タイトフレームの屋根板嵌合用凹・凸部に嵌合した状態で、前記押拡底部とタイトフレームおよび前記両嵌合用凹・凸部の当接部をそれぞれセルフドリルビス、またはボルトナット、その他適宜の取付手段により一体に取り付ける必要が無いものである。
【００１７】
ここで、さらに長いドリリングネジ９について、図２に基づいて詳細に説明する。
タッピングできるように特殊剣先を有するドリリングネジ９で連結屋根Ａを躯体７（例えば梁）に固定する際、その連結屋根Ａの高さに合わせてネジを設け、しかも深くねじ込まれないように適正な状態にねじ込むことができるように、ストッパの役目をさせる逆ネジ１１を形成したものを採用する。
【産業上の利用可能性】
【００１８】
鉄骨構造物等において、フラット面を生かした屋根として施工する上で極めて簡単に利用出来る。
【図面の簡単な説明】
【００１９】
【図１】本発明の一実施例に係るフラット連結屋根の組立状態を示すもので、（ａ）は正断面図、（ｂ）は側断面図である。
【図２】長いドリリングネジの拡大正面図である。
【図３】（ａ）は、フラット連結屋根を躯体に固設するための押え平板を示す平面図、（ｂ）は同じく押え平板を示す正面図である。
【図４】（ａ）は、フラット連結屋根における屋根板の他端側フラット面に脚状リブ部嵌合用折曲縁を形成したものを示す正面図、（ｂ）は同じく屋根板の脚状リブ部嵌合用折曲縁を屋根板下面支持縁重合縁（フラット延長部）に形成したものを示す正面図である。
【図５】本発明のフラット連結屋根の屋根板の一部拡大正断面図である。
【図６】本発明の一実施例に係る耐熱・断熱構造のフラット連結屋根の組立状態を示す正断面図である。
【図７】脚状リブ部の他の実施例を示す一部拡大正面図である。
【符号の説明】
【００２０】
１・・・・脚状リブ部
１ａ、１ａ・・・・垂直壁部
２・・・・押拡底部
３・・・・フラット面
４・・・・脚状リブ部嵌合用折曲縁
４´・・・・屋根板下面支持縁重合縁
５・・・・補強用凹・凸部
５ａ・・・・当接部
６・・・・耐熱・断熱防水構造
６ａ・・・・耐熱・断熱性板
６ｂ・・・・防水板
７・・・・躯体｛梁、母屋、コンクリート（ＡＬＣ）｝
８・・・・押え平板
８´・・・・長孔
９・・・・ドリリングネジ
１０・・・・固定ネジ
１１・・・・逆ネジ
Ａ・・・・屋根板
【図１】
2005146801.tif 000003
【図２】
2005146801.tif 000004
【図３】
2005146801.tif 000005
【図４】
2005146801.tif 000006
【図５】
2005146801.tif 000007
【図６】
2005146801.tif 000008
【図７】
2005146801.tif 000009